(57)【要約】【課題】表示されている画像が、画像信号を受け付けている入力端子の中で、どの入力端子が受け付けた画像信号に基づくものかを、ユーザーに知らせることを可能にする手法を提供する。【解決手段】表示装置は、画像信号を受付可能な複数の入力端子と、前記複数の入力端子の入力端子ごとに当該入力端子が前記画像信号を受け付けているか否かを示す第１表示部と、前記複数の入力端子の中から選択されている選択入力端子が受け付けている画像信号に応じた画像を表示面に表示する画像表示部と、前記選択入力端子を示す第２表示部と、を含む。【選択図】図３
2019080215.tif 000002
【特許請求の範囲】
【請求項１】
画像信号を受付可能な複数の入力端子と、
前記複数の入力端子の入力端子ごとに当該入力端子が前記画像信号を受け付けているか否かを示す第１表示部と、
前記複数の入力端子の中から選択されている選択入力端子が受け付けている画像信号に応じた画像を表示面に表示する画像表示部と、
前記選択入力端子を示す第２表示部と、
を含むことを特徴とする表示装置。
【請求項２】
前記第１表示部は、前記入力端子ごとに第３表示部を有し、
前記第３表示部は、当該第３表示部に対応する入力端子が前記画像信号を受け付けているか否かを示し、
前記第２表示部は、前記入力端子ごとに第４表示部を有し、
前記第４表示部は、当該第４表示部に対応する入力端子が前記選択入力端子であるか否かを示す、
ことを特徴とする請求項１に記載の表示装置。
【請求項３】
前記第３表示部は、第１発光部であり、
前記第１発光部を、当該第１発光部に対応する入力端子が前記画像信号を受け付けている場合に点灯し、当該第１発光部に対応する入力端子が前記画像信号を受け付けていない場合に消灯する第１発光制御部を
有することを特徴とする請求項２に記載の表示装置。
【請求項４】
前記第４表示部は、第２発光部であり、
前記第２発光部を、当該第２発光部に対応する入力端子が前記選択入力端子である場合に点灯し、当該第２発光部に対応する入力端子が前記選択入力端子でない場合に消灯する第２発光制御部を
有することを特徴とする請求項２または３に記載の表示装置。
【請求項５】
前記第３表示部は、第１発光部であり、
前記第４表示部は、第２発光部であり、
前記第１発光部を、当該第１発光部に対応する入力端子が前記画像信号を受け付けている場合に点灯し、前記第２発光部を、当該第２発光部に対応する入力端子が前記選択入力端子である場合に点灯する発光制御部と、
前記第１発光部および前記第２発光部を点灯させる点灯指示を受け付ける点灯指示受付部と、を有し、
前記発光制御部は、前記点灯指示受付部が前記点灯指示を受け付けた場合、前記画像信号を受け付けていない入力端子に対応する第１発光部と、前記選択入力端子でない入力端子に対応する第２発光部と、の少なくともいずれかを所定の色で点灯し、
前記第１発光部における前記所定の色は、前記画像信号を受け付けている入力端子に対応する第１発光部が発する光の色と異なる色であり、前記第２発光部における前記所定の色は、前記選択入力端子に対応する第２発光部が発する光の色と異なる色である、
ことを特徴とする請求項２に記載の表示装置。
【請求項６】
前記第３表示部は、第１発光部であり、
前記第４表示部は、第２発光部であり、
前記第１発光部を、当該第１発光部に対応する入力端子が前記画像信号を受け付けている場合に点灯し、前記第２発光部を、当該第２発光部に対応する入力端子が前記選択入力端子である場合に点灯する発光制御部と、
前記第１発光部および前記第２発光部を消灯させる消灯指示を受け付ける消灯指示受付部とを有し、
前記発光制御部は、前記消灯指示受付部が前記消灯指示を受け付けた場合、前記画像信号を受け付けている入力端子に対応する第１発光部、および前記選択入力端子に対応する第２発光部を消灯する、
ことを特徴とする請求項２に記載の表示装置。
【請求項７】
前記第４表示部は、当該第４表示部に対応する入力端子に対応する第３表示部と隣り合うように配置される、
ことを特徴とする請求項２から６のいずれか１項に記載の表示装置。
【請求項８】
前記複数の入力端子のうちの一以上の入力端子を示す設定情報を受け付ける設定情報受付部を有し、
前記設定情報が示す入力端子に対応する第３表示部は、前記画像信号を受け付けているか否かを示すことを停止する、
ことを特徴とする請求項２から７のいずれか１項に記載の表示装置。
【請求項９】
前記入力端子ごとに、前記画像信号を受け付けているか否かを判別する判別部と、
前記画像信号を受け付けているか否かを判別する周期を示す周期情報を受け付ける周期情報受付部と、
を有し、
前記判別部は、前記周期情報受付部が受け付けた周期情報が示す周期に従って、前記入力端子ごとに前記画像信号を受け付けているか否かを判別する、
ことを特徴とする請求項１から８のいずれか１項に記載の表示装置。
【請求項１０】
前記画像信号は、前記画像信号に応じた画像に関する複数の情報を含み、
前記入力端子ごとに、前記画像信号を受け付けているか否かを判別する判別部を有し、
前記判別部は、前記複数の情報のうち一部の情報を前記入力端子が受け付けた場合に、当該入力端子が前記画像信号を受け付けていると判別する、
ことを特徴とする請求項１から９のいずれか１項に記載の表示装置。
【請求項１１】
前記入力端子ごとに前記画像信号を受け付けているか否かを示す画像を示す画像情報を生成する第１生成部を有し、
前記画像表示部は、前記第１生成部が生成した画像情報が示す画像を、前記表示面に表示する、
ことを特徴とする請求項１から１０のいずれか１項に記載の表示装置。
【請求項１２】
前記入力端子が受け付けている画像信号に関する情報を示す画像を示す画像情報を生成する第２生成部と、
前記第２生成部が生成した画像情報が示す画像を表示する第５表示部と、
を有することを特徴とする請求項１から１１のいずれか１項に記載の表示装置。
【請求項１３】
ボードを挿抜可能なスロットを有し、
前記複数の入力端子は、前記スロットに挿し込まれたボードが有する入力端子を含む、
ことを特徴とする請求項１から１２のいずれか１項に記載の表示装置。
【請求項１４】
画像信号を受付可能な複数の入力端子を有する表示装置の制御方法であって、
前記複数の入力端子の入力端子ごとに当該入力端子に前記画像信号を受け付けているか否かを示し、
前記複数の入力端子の中から選択されている選択入力端子が受け付けている画像信号に応じた画像を表示面に表示し、
前記選択入力端子を示す、
ことを特徴とする表示装置の制御方法。
【発明の詳細な説明】
【技術分野】
【０００１】
本発明は、表示装置、および表示装置の制御方法に関する。
【背景技術】
【０００２】
プロジェクター等を含む表示装置には、複数の入力端子を含むものがある。特許文献１には、複数の入力端子の入力端子ごとに、その入力端子が画像信号を受け付けているか否かを示すプロジェクターが開示されている。
【先行技術文献】
【特許文献】
【０００３】
【特許文献１】特開２０１０−２００２２３号公報
【発明の概要】
【発明が解決しようとする課題】
【０００４】
しかしながら、上述した従来の表示装置では、表示されている画像が、画像信号を受け付けている入力端子の中で、どの入力端子が受け付けた画像信号に基づくものかを、ユーザーに知らせることはできない。
【０００５】
本発明は、表示されている画像が、画像信号を受け付けている入力端子の中で、どの入力端子が受け付けた画像信号に基づくものかを、ユーザーに知らせることを可能にすることを解決課題の一つとする。
【課題を解決するための手段】
【０００６】
本発明の好適な態様（第１態様）に係る表示装置は、画像信号を受付可能な複数の入力端子と、前記複数の入力端子の入力端子ごとに当該入力端子が前記画像信号を受け付けているか否かを示す第１表示部と、前記複数の入力端子の中から選択されている選択入力端子が受け付けている画像信号に応じた画像を表示面に表示する画像表示部と、前記選択入力端子を示す第２表示部と、を含む。
この態様によれば、第１表示部が、複数の入力端子のいずれが画像信号を受け付けているかを示し、第２表示部が、選択入力端子を示す。このため、表示されている画像が、画像信号を受け付けている入力端子の中で、どの入力端子に入力されている画像信号に基づくものかを、ユーザーに知らせることが可能になる。
【０００７】
第１態様の好適例（第２態様）において、前記第１表示部は、前記入力端子ごとに第３表示部を有し、前記第３表示部は、当該第３表示部に対応する入力端子が前記画像信号を受け付けているか否かを示し、前記第２表示部は、前記入力端子ごとに第４表示部を有し、前記第４表示部は、当該第４表示部に対応する入力端子が前記選択入力端子であるか否かを示す。
この態様によれば、ユーザーは、入力端子ごとに、画像信号を受け付けているかと、選択入力端子であるかを、認識しやすくなることが可能になる。
【０００８】
第２態様の好適例（第３態様）において、前記第３表示部は、第１発光部であり、前記第１発光部を、当該第１発光部に対応する入力端子が前記画像信号を受け付けている場合に点灯し、当該第１発光部に対応する入力端子が前記画像信号を受け付けていない場合に消灯する第１発光制御部を有する。
この態様によれば、画像信号を受け付けている入力端子に対応する第１発光部が点灯するため、ユーザーは、点灯した第１発光部を識別することにより、複数の入力端子のうち、画像信号を受け付けている入力端子がいずれであるかを、容易に把握することが可能になる。
【０００９】
第２態様または第３態様の好適例（第４態様）において、前記第４表示部は、第２発光部であり、前記第２発光部を、当該第２発光部に対応する入力端子が前記選択入力端子である場合に点灯し、当該第２発光部に対応する入力端子が前記選択入力端子でない場合に消灯する第２発光制御部を有する。
この態様によれば、選択入力端子に対応する第２発光部が点灯するため、ユーザーは、選択入力端子を、容易に把握することが可能になる。
【００１０】
第２態様の好適例（第５態様）において、前記第３表示部は、第１発光部であり、前記第４表示部は、第２発光部であり、前記第１発光部を、当該第１発光部に対応する入力端子が前記画像信号を受け付けている場合に点灯し、前記第２発光部を、当該第２発光部に対応する入力端子が前記選択入力端子である場合に点灯する発光制御部と、前記第１発光部および前記第２発光部を点灯させる点灯指示を受け付ける点灯指示受付部と、を有し、前記発光制御部は、前記点灯指示受付部が前記点灯指示を受け付けた場合、前記画像信号を受け付けていない入力端子に対応する第１発光部と、前記選択入力端子でない入力端子に対応する第２発光部と、の少なくともいずれかを所定の色で点灯し、前記第１発光部における前記所定の色は、前記画像信号を受け付けている入力端子に対応する第１発光部が発する光の色と異なる色であり、前記第２発光部における前記所定の色は、前記選択入力端子に対応する第２発光部が発する光の色と異なる色である。
表示装置が暗所内にある場合、第３表示部および第４表示部が視認しにくくなる虞がある。この態様によれば、画像信号が入力されていない入力端子に対応する第３表示部と選択されていない入力端子に対応する第４表示部との少なくともいずれかを、所定の色を有する光が発するように点灯させて、第３表示部および第４表示部を視認し易くすることが可能になる。さらに、第１発光部における所定の色は、画像信号を受け付けている入力端子に対応する第１発光部が発する光の色と異なる色であり、第２発光部における所定の色は、選択入力端子に対応する第２発光部が発する光の色と異なる色である。従って、所定の色の光を発することにより、ユーザーは、所定の色の光で点灯する第１発光部に対応する入力端子は画像信号を受け付けていないことを把握し、所定の色の光で点灯する第２発光部に対応する入力端子は選択入力端子でないことを把握することが可能になる。
【００１１】
第２態様の好適例（第６態様）において、前記第３表示部は、第１発光部であり、前記第４表示部は、第２発光部であり、前記第１発光部を、当該第１発光部に対応する入力端子が前記画像信号を受け付けている場合に点灯し、前記第２発光部を、当該第２発光部に対応する入力端子が前記選択入力端子である場合に点灯する発光制御部と、前記第１発光部および前記第２発光部を消灯させる消灯指示を受け付ける消灯指示受付部とを有し、前記発光制御部は、前記消灯指示受付部が前記消灯指示を受け付けた場合、前記画像信号を受け付けている入力端子に対応する第１発光部、および前記選択入力端子に対応する第２発光部を消灯する。
この態様によれば、表示装置が設置された箇所を暗くしたい場合に、画像信号を受け付けている入力端子に対応する第１発光部、および選択入力端子に対応する第２発光部を消灯でき、表示装置が設置された箇所を暗くすることが可能になる。
【００１２】
第２態様から第６態様の好適例（第７態様）において、前記第４表示部は、当該第４表示部に対応する入力端子に対応する第３表示部と隣り合うように配置される。
この態様によれば、第３表示部と、第３表示部に対応する入力端子に対応する第４表示部とが隣り合うように配置されているため、入力端子が、画像信号を受け付けているか否かと、選択入力端子であるか否かとを、ユーザーが一目で把握することが可能になる。
【００１３】
第２態様から第７態様の好適例（第８態様）において、前記複数の入力端子のうちの一以上の入力端子を示す設定情報を受け付ける設定情報受付部を有し、前記設定情報が示す入力端子に対応する第３表示部は、前記画像信号を受け付けているか否かを示すことを停止する。
この態様によれば、ユーザーが消灯させてもよいと指定した第３表示部を消灯することができるため、消費電力を削減することが可能になる。
【００１４】
第１態様から第８態様の好適例（第９態様）において、前記入力端子ごとに、前記画像信号を受け付けているか否かを判別する判別部と、前記画像信号を受け付けているか否かを判別する周期を示す周期情報を受け付ける周期情報受付部と、を有し、前記判別部は、前記周期情報受付部が受け付けた周期情報が示す周期に従って、前記入力端子ごとに前記画像信号を受け付けているか否かを判別する。
この態様によれば、ユーザーが指定した周期に従って入力端子が画像信号を受け付けているか否かを判別するため、画像信号や表示装置の状態に応じて適切な頻度で判別することが可能になる。
【００１５】
第１態様から第９態様の好適例（第１０態様）において、前記画像信号は、前記画像信号に応じた画像に関する複数の情報を含み、前記入力端子ごとに、前記画像信号を受け付けているか否かを判別する判別部を有し、前記判別部は、前記複数の情報のうち一部の情報を前記入力端子が受け付けた場合に、当該入力端子が前記画像信号を受け付けていると判別する。
この態様によれば、画像信号に含まれる複数の情報の全てが含まれるかを判別することなく、一部の情報だけで判別するため、判別部にかかる負荷を抑えることが可能になる。
【００１６】
第１態様から第１０態様の好適例（第１１態様）において、前記入力端子ごとに前記画像信号を受け付けているか否かを示す画像を示す画像情報を生成する第１生成部を有し、前記画像表示部は、前記第１生成部が生成した画像情報が示す画像を、前記表示面に表示する。
この態様によれば、ユーザーが、第１表示部を視認できない場合にも、表示面に表示された画像を閲覧して、入力端子が信号を受け付けているか否かを判別することが可能になる。
【００１７】
第１態様から第１１態様の好適例（第１２態様）において、前記入力端子が受け付けている画像信号に関する情報を示す画像を示す画像情報を生成する第２生成部と、前記第２生成部が生成した画像情報が示す画像を表示する第５表示部と、を有する。
この態様によれば、ユーザーは、第１表示部から知ることのできない、画像に関する情報を知ることができる。
【００１８】
第１態様から第１２態様の好適例（第１３態様）において、ボードを挿抜可能なスロットを有し、前記複数の入力端子は、前記スロットに挿し込まれたボードが有する入力端子を含む。
この態様によれば、複数の入力端子に含まれる、スロットに挿入されたボードが有する入力端子について、画像信号を受け付けているか否かと、入力端子が選択入力端子であるか否かとを、ユーザーが容易に把握することが可能になる。
【００１９】
本発明の好適な態様（第１４態様）に係る表示装置の制御方法は、画像信号を受付可能な複数の入力端子を有する表示装置の制御方法であって、前記複数の入力端子の入力端子ごとに当該入力端子に前記画像信号を受け付けているか否かを示し、前記複数の入力端子の中から選択されている選択入力端子が受け付けている画像信号に応じた画像を表示面に表示し、前記選択入力端子を示す。
この態様によれば、表示装置が、複数の入力端子のいずれに画像信号が入力されているかと、選択入力端子とを示す。このため、表示されている画像が、画像信号が入力されている入力端子の中で、どの入力端子に入力されている画像信号に基づくものかを、ユーザーに知らせることが可能になる。
【図面の簡単な説明】
【００２０】
【図１】第１実施形態にかかるプロジェクター１００の側面図。
【図２】インターフェースパネル１０の平面図。
【図３】操作パネル１２の平面図。
【図４】プロジェクター１００の構成図。
【図５】第１生成部２５１が生成する画像情報が示す画像Ｐの一例を示す図。
【図６】投射部３２の一例を示した図。
【図７】プロジェクター１００の動作を説明するためのフローチャート（その１）。
【図８】プロジェクター１００の動作を説明するためのフローチャート（その２）。
【図９】第１の変形例におけるインターフェースパネル１０の平面図。
【図１０】インターフェースボード６０を含む回路基板７０の斜視図。
【発明を実施するための形態】
【００２１】
以下、本発明を実施するための形態について図面を参照して説明する。ただし、各図において、各部の寸法および縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２２】
＜第１実施形態＞
図１は、第１実施形態にかかるプロジェクター１００の側面図である。プロジェクター１００（表示装置の一例）は、図４に示した投射面ＳＣ（表示面の一例）に画像（以下、「投射画像」と称する）を投射する。プロジェクター１００は、インターフェースパネル１０、操作パネル１２、および投射レンズユニット１４を有する。図１に示すように、インターフェースパネル１０および操作パネル１２は、プロジェクター１００の側面に位置する。投射レンズユニット１４は、プロジェクター１００の正面に位置する。
【００２３】
インターフェースパネル１０には、プロジェクター１００の複数のインターフェースが設けられている。操作パネル１２には、プロジェクター１００への操作を行う各種ボタン等が設けられている。投射レンズユニット１４は、投射レンズ３２３（図６参照）を含む。
【００２４】
以下の説明では、投射レンズ３２３の光軸と平行な方向をＹ方向とする。Ｙ方向について、プロジェクター１００の中心から投射レンズユニット１４に向かう方向をＹ軸正方向とする。Ｙ軸に直交し、さらにお互いに直交する２軸をＸ軸とＺ軸とする。Ｘ軸について、インターフェースパネル１０および操作パネル１２から、プロジェクター１００の中心に向かう方向をＸ軸正方向とする。Ｚ軸について、プロジェクター１００を載せ置く面から、プロジェクター１００の中心に向かう方向をＺ軸正方向とする。
【００２５】
図２は、インターフェースパネル１０の平面図である。インターフェースパネル１０は、複数の入力端子１０２および２つのスロット１０５を有する。複数の入力端子１０２は、ＳＤＩ（Serial Digital Interface）端子１０２−１、ＨＤＭＩ（High Definition Multimedia Interface）（登録商標）端子１０２−２、ＬＡＮ（Local Area Network）端子１０２−３、およびＢＮＣ（Bayonet Neill Concelman）端子１０２−４である。
【００２６】
以下の説明では、同種の要素を区別する場合には、「ＳＤＩ端子１０２−１」、「ＨＤＭＩ端子１０２−２」のように参照符号を使用し、同種の要素を区別しない場合には、「入力端子１０２」のように参照符号のうちの共通番号だけを使用することがある。
【００２７】
入力端子１０２は、画像信号を受付可能な端子である。スロット１０５は、プロジェクター１００の機能を拡張するボードを挿抜可能である。前述したボードは、例えば、入力端子１０２を有するインターフェースボード（ボードの一例）である。本実施形態では、スロット１０５にインターフェースボードは挿し込まれていない。
【００２８】
図３は、操作パネル１２の平面図である。操作パネル１２は、電源ＯＮ（オン）ボタン１２１、Ｓｔａｎｄｂｙ（スタンバイ）ボタン１２２、第１表示部１２３、第２表示部１２５、ステータスモニター１２７（第５表示部の例）、操作ボタン１２８、およびＬｉｇｈｔ（ライト）ボタン１２９を有する。
【００２９】
電源ＯＮボタン１２１は、プロジェクター１００の電源を入れるボタンである。Ｓｔａｎｄｂｙボタン１２２は、プロジェクター１００を待機状態にするボタンである。
【００３０】
第１表示部１２３は、入力端子１０２ごとに、その入力端子１０２が画像信号を受け付けているか否かを示す。
第２表示部１２５は、複数の入力端子１０２の中から、選択入力端子として選択されている入力端子１０２を示す。選択入力端子は、入力されている画像信号に応じた画像が投射面ＳＣに投射される入力端子１０２である。選択入力端子は、画像信号を受け付けている入力端子のいずれかであるのが一般的ではあるが、画像信号を受け付けていない入力端子が選択入力端子になってもよい。例えば、ユーザーが、プロジェクター１００の電源を入れ、画像信号を受け付けていない入力端子１０２を選択入力端子として選択した後、画像信号を受け付けるようにケーブル等を選択入力端子に接続してもよい。
【００３１】
第１表示部１２３について、より具体的に説明する。第１表示部１２３は、入力端子１０２ごとに、その入力端子１０２に対応する判別用ランプ１２４（第３表示部および第１発光部の例）を有する。判別用ランプ１２４は、その判別用ランプ１２４に対応する入力端子１０２が画像信号を受け付けているか否かを示す。例えば、判別用ランプ１２４は、対応する入力端子１０２が画像信号を受け付けていれば青色に点灯し、対応する入力端子１０２が画像信号を受け付けていなければ消灯する。青色は、第１色の一例である。
【００３２】
具体的には、第１表示部１２３は、ＳＤＩ端子１０２−１に対応する判別用ランプ１２４−１、ＨＤＭＩ端子１０２−２に対応する判別用ランプ１２４−２、ＬＡＮ端子１０２−３に対応する判別用ランプ１２４−３、およびＢＮＣ端子１０２−４に対応する判別用ランプ１２４−４を有する。さらに、第１表示部１２３は、判別用ランプ１２４−５、および判別用ランプ１２４−６を有する。判別用ランプ１２４−５は、スロット１０５−１に挿し込まれたインターフェースボードが有する入力端子１０２に対応する。判別用ランプ１２４−６は、スロット１０５−２に挿し込まれたインターフェースボードが有する入力端子１０２に対応する。
【００３３】
第２表示部１２５について、より具体的に説明する。第２表示部１２５は、入力端子１０２ごとに、その入力端子１０２に対応する選択ボタン１２６（第４表示部および第２発光部の例）を有する。選択ボタン１２６は、その選択ボタン１２６に対応する入力端子１０２が、選択入力端子であるか否かを示す。例えば、選択ボタン１２６は、対応する入力端子１０２が選択入力端子であればオレンジ色に点灯し、対応する入力端子１０２が選択入力端子でなければ消灯する。オレンジ色は、第２色の一例である。選択入力端子は、ユーザーによって押下された選択ボタン１２６に対応する入力端子１０２である。
【００３４】
具体的には、第２表示部１２５は、ＳＤＩ端子１０２−１に対応する選択ボタン１２６−１、ＨＤＭＩ端子１０２−２に対応する選択ボタン１２６−２、ＬＡＮ端子１０２−３に対応する選択ボタン１２６−３、およびＢＮＣ端子１０２−４に対応する選択ボタン１２６−４を有する。さらに、第２表示部１２５は、選択ボタン１２６−５、および選択ボタン１２６−６を有する。選択ボタン１２６−５は、スロット１０５−１に挿し込まれたインターフェースボードが有する入力端子１０２に対応する。選択ボタン１２６−６は、スロット１０５−２に挿し込まれたインターフェースボードが有する入力端子１０２に対応する。
【００３５】
図３に示すように、選択ボタン１２６は、その選択ボタン１２６に対応する入力端子１０２に対応する判別用ランプ１２４と隣り合うように配置される。本実施形態では、選択ボタン１２６は、判別用ランプ１２４から見て、Ｙ軸正方向の位置に隣り合うように配置される。このように、判別用ランプ１２４が、選択ボタン１２６の近傍に集約配置されている。
【００３６】
ステータスモニター１２７は、複数の入力端子１０２のいずれかが画像信号を受け付けている場合に、画像信号に関する情報を示す画像を表示する。ステータスモニター１２７としては、例えば、ＬＣＤ（Liquid Crystal Display）が採用される。操作ボタン１２８は、ステータスモニター１２７に、メニュー画面を表示したり、メニュー画面内のカーソルを移動したり、メニュー画面のボタンを決定したりするために用いられる。
【００３７】
Ｌｉｇｈｔボタン１２９は、Ｌｉｇｈｔボタン１２９が押下されることにより、少なくとも、判別用ランプ１２４および選択ボタン１２６を点灯する。さらに、Ｌｉｇｈｔボタン１２９は、ステータスモニター１２７および操作ボタン１２８を点灯してもよい。判別用ランプ１２４および選択ボタン１２６を点灯する期間としては、例えば、以下の２つの期間があり、２つの期間のうちいずれの期間が採用されてもよい。第１の期間は、Ｌｉｇｈｔボタン１２９が押下されている期間である。第２の期間は、Ｌｉｇｈｔボタン１２９が押下されてから、一定時間が経過するまでの期間である。以下の説明では、第２の期間が採用されたとして説明を行う。
【００３８】
Ｌｉｇｈｔボタン１２９が押下された場合、判別用ランプ１２４は、青色（第１色）、およびオレンジ色（第２色）とは異なる所定の色で点灯する。例えば、判別用ランプ１２４は、Ｌｉｇｈｔボタン１２９が押下されると、所定の色の例として白色で点灯する。Ｌｉｇｈｔボタン１２９が押下された場合に、既に青色で点灯する判別用ランプ１２４の色は変わらない。同様に、Ｌｉｇｈｔボタン１２９が押下された場合、選択ボタン１２６は、青色（第１色）およびオレンジ色（第２色）とは異なる所定の色で点灯する。Ｌｉｇｈｔボタン１２９が押下された場合に、既にオレンジ色で点灯する選択ボタン１２６の色は変わらない。例えば、選択ボタン１２６は、Ｌｉｇｈｔボタン１２９が押下されると、所定の色の例として白色で点灯する。
【００３９】
図４は、プロジェクター１００の構成図である。プロジェクター１００は、信号受信部２０と、指示受付部２２と、画像処理部２５と、第１処理部２６と、記憶部２８と、第２処理部３０と、投射部３２（画像表示部の例）とを含む。画像処理部２５は、第１生成部２５１を含む。
【００４０】
信号受信部２０は、入力端子１０２が受け付けた信号を受信する。指示受付部２２は、電源ＯＮボタン１２１、Ｓｔａｎｄｂｙボタン１２２、選択ボタン１２６、操作ボタン１２８、およびＬｉｇｈｔボタン１２９を含む。指示受付部２２は、前述した各ボタンが押下されることにより、利用者の指示を受け付ける。
【００４１】
画像処理部２５は、第１処理部２６内の後述する表示制御部２６２の制御に従って、信号受信部２０が受信した画像信号のうち、選択入力端子に入力されている画像信号に対して画像処理を施して、投射面ＳＣに投射させる投射画像を示す画像情報を生成する。
【００４２】
第１生成部２５１は、第１処理部２６内の後述する判別部２６１の判別結果に基づいて、第１ＯＳＤ（On Screen Display）画像を示す第１ＯＳＤ画像情報を生成する。第１ＯＳＤ画像は、入力端子１０２ごとに入力端子１０２が画像信号を受け付けているか否かを示す。第１ＯＳＤ画像は、例えば、判定用ランプ１２４の状態（点灯しているか否か）を表す画像である。画像処理部２５は、投射画像に第１ＯＳＤ画像が重畳された重畳画像を示す画像情報を生成する。
【００４３】
第１生成部２５１は、さらに、複数の入力端子１０２のうちから、画像信号を受け付けているか否かが示される入力端子１０２を選択するための選択画像を示す選択画像情報（例えば、ＯＳＤ画像情報）も生成する。図５を用いて、選択画像の一例を示す。
【００４４】
図５は、選択画像Ｐ（以下、単に「画像Ｐ」と称する）の一例を示す。画像Ｐは、複数の選択ボタン５０、および設定ボタン５２を含む。複数の選択ボタン５０、および設定ボタン５２は、操作ボタン１２８によって選択可能である。複数の選択ボタン５０として、画像Ｐは、入力端子１０２−ｘに対応する選択ボタン５０−ｘ１ならびに選択ボタン５０−ｘ２を含む。図５の例では、ｘは、１から３までの自然数である。
【００４５】
選択ボタン５０−ｘ１と選択ボタン５０−ｘ２とのうち、いずれか一方が選択されている。選択ボタン５０−ｘ１が選択されている入力端子１０２については、対応する判別用ランプ１２４−ｘによって、画像信号を受け付けているか否かが示される。選択ボタン５０−ｘ２が選択されている入力端子１０２については、対応する判別用ランプ１２４−ｘによって、画像信号を受け付けているか否かが示されること（以下「受付状態表示」とも称する）が停止される。設定ボタン５２が押下された場合、第１処理部２６は、選択ボタン５０についての現在の選択状況に基づいて、受付状態表示を停止する判別用ランプ１２４を示す設定情報２８１を生成し、記憶部２８に格納する。
【００４６】
図４の説明に戻る。
第１処理部２６は、ＣＰＵ（Central Processing Unit）等のコンピューターである。第１処理部２６は、１または複数のプロセッサーで構成してもよい。第１処理部２６は、記憶部２８に記憶された制御プログラムを読み取り実行することによって、判別部２６１と、表示制御部２６２と、点灯指示受付部２６３と、設定情報受付部２６４と、周期情報受付部２６５とを実現する。なお、第１処理部２６を構成する１または複数のプロセッサーによって、判別部２６１と、表示制御部２６２と、点灯指示受付部２６３と、設定情報受付部２６４と、周期情報受付部２６５とが実現されてもよい。１または複数のプロセッサーによって、画像処理部２５が実現されてもよい。
【００４７】
判別部２６１は、入力端子１０２ごとに、入力端子１０２が画像信号を受け付けているか否かを判別する判別処理を行う。判別処理は、例えば、以下の２つの方法がある。第１の方法は、画像信号に応じた画像に関する複数の情報の全てを、入力端子１０２が受け付けた場合に、画像信号が入力端子１０２に入力されていると判断する方法である。例えば、ＳＤＩ端子１０２−１が受け付ける画像信号に含まれる複数の情報は、ＰＬＬ（Phase Locked Loop）ロック有無情報、解像度情報、周波数情報、ペイロードID（サンプリング方式、色空間、リンク情報等）である。また、例えば、ＨＤＭＩ端子１０２−２が受け付ける画像信号に含まれる複数の情報は、接続検知信号、クロック有無、同期信号有無情報、解像度情報、周波数情報、InfoFrame情報（色空間、ピクセルリピート情報等）である。
【００４８】
第２の方法は、画像信号に応じた画像に関する複数の情報の一部を、入力端子１０２が受け付けた場合に、入力端子１０２が映像信号を受け付けていると判断する方法である。例えば、判別部２６１は、ＰＬＬロック有無情報をＳＤＩ端子１０２−１が受け付けた場合に、ＳＤＩ端子１０２−１が画像信号を受け付けていると判別する。また、判別部２６１は、接続検知信号または同期信号有無情報をＨＤＭＩ端子１０２−２が受け付けた場合に、ＨＤＭＩ端子１０２−２が画像信号を受け付けていると判別する。
【００４９】
表示制御部２６２は、選択入力端子として選択されている入力端子に入力されている画像信号に応じた投射画像を投射面ＳＣに投射して表示する処理を投射部３２に実行させる。より具体的には、表示制御部２６２は、画像処理部２５も制御して、投射部３２に投射画像を投射面ＳＣに表示させる。
【００５０】
点灯指示受付部２６３は、第１表示部１２３（図３参照）および第２表示部１２５（図３参照）を点灯させる点灯指示を受け付ける。例えば、ユーザーがＬｉｇｈｔボタン１２９を押下した場合、点灯指示受付部２６３は、Ｌｉｇｈｔボタン１２９が押下されたことを、前述の点灯指示として受け付ける。
【００５１】
設定情報受付部２６４は、受付状態表示を停止する判別用ランプ１２４を示す設定情報２８１を受け付ける。図４に示すように、設定情報２８１は、記憶部２８に記憶される。設定情報２８１は、例えば、２つの態様がある。第１の態様における設定情報２８１は、受付状態表示を停止する判別用ランプ１２４のＩＤを示す。第２の態様における設定情報２８１は、判別用ランプ１２４ごとに、受付状態表示を停止するかしないかを示す値を示す。設定情報２８１は、図５で説明したように、ユーザーによる操作ボタン１２８の操作等によって生成され、記憶部２８に格納される。設定情報２８１が示す判別用ランプ１２４は、対応する入力端子１０２が画像信号を受け付けているか否かを示すことを停止する。
【００５２】
周期情報受付部２６５は、画像信号を受け付けているか否かを判別する周期を示す周期情報２８２を受け付ける。図４に示すように、周期情報２８２は、記憶部２８に記憶される情報である。周期情報２８２は、例えば、２つの態様がある。第１の態様における周期情報２８２は、入力端子１０２ごとの周期を示す。第２の態様における周期情報２８２は、入力端子１０２で一律の周期を示す。周期は、例えば、１秒または１０秒である。周期情報２８２は、ユーザーによる操作ボタン１２８の操作等によって生成され、記憶部２８に格納される。
判別部２６１は、周期情報受付部２６５が周期情報２８２を受け付けた場合、その周期情報２８２が示す周期で、入力端子１０２ごとに画像信号を受け付けているか否かを判別する。
【００５３】
記憶部２８は、コンピューター読み取り可能な記録媒体である。記憶部２８は、例えば、フラッシュメモリーである。記憶部２８は、フラッシュメモリーに限らず適宜変更可能である。記憶部２８は、例えば、設定情報２８１および周期情報２８２を含む種々の情報と、第１処理部２６および第２処理部３０が実行するプログラムとを記憶する。
【００５４】
第２処理部３０は、ＣＰＵ等のコンピューターである。第２処理部３０は、１または複数のプロセッサーで形成されてもよい。第２処理部３０は、記憶部２８に記憶された制御プログラムを読み取り実行することによって、第１発光制御部３０１と、第２発光制御部３０２と、第２生成部３０３とを実現する。第１発光制御部３０１と第２発光制御部３０２は、発光制御部３０４に含まれる。なお、第２処理部３０を形成する１または複数のプロセッサーによって、第１発光制御部３０１と、第２発光制御部３０２と、第２生成部３０３とが実現されてもよい。または、第１処理部２６および第２処理部３０に含まれる各部が、同一のプロセッサーによって実現されてもよい。または、プロジェクター１００は、１のプロセッサーが複数のプロセッサーコアを有するマルチコアプロセッサーを有し、第１処理部２６および第２処理部３０は、そのマルチコアプロセッサーに含まれるそれぞれ異なるプロセッサーコアでもよい。
【００５５】
第１発光制御部３０１は、判別用ランプ１２４を、その判別用ランプ１２４に対応する入力端子１０２が画像信号を受け付けている場合に点灯し、その入力端子１０２が画像信号を受け付けていない場合に消灯するように制御する。第１発光制御部３０１は、入力端子１０２が画像信号を受け付けているか否かについて、判別部２６１の判別結果を用いる。図４に示すように、判別用ランプ１２４は、ＬＥＤ（Light Emitting Diode）１２４ｘ−１およびＬＥＤ１２４ｘ−３を有する。ｘは、その判別用ランプ１２４の参照符号の末尾の値である。例えば、判別用ランプ１２４−１の参照符号の末尾の値は１であるため、判別用ランプ１２４−１は、ＬＥＤ１２４１−１およびＬＥＤ１２４１−３を有する。ＬＥＤ１２４ｘ−１およびＬＥＤ１２４ｘ−３は、互いに異なる色の光を発する光源である。ＬＥＤ１２４ｘ−１が青色で点灯し、ＬＥＤ１２４ｘ−３が白色で点灯する。白色で点灯するＬＥＤは、例えば、黄色に蛍光する蛍光体と青色発光ダイオードとを組み合わせることによって生成することができる。
【００５６】
例えば、第１発光制御部３０１は、ＳＤＩ端子１０２−１が画像信号を受け付けている場合、ＬＥＤ１２４１−１を点灯させることにより、判別用ランプ１２４を青色で点灯させる。
【００５７】
さらに、設定情報受付部２６４の説明において、設定情報２８１が示す判別用ランプ１２４は、受付状態表示を停止することを記載した。前述の記載を実現するために、第１発光制御部３０１は、判別用ランプ１２４に対応する入力端子１０２が画像信号を受け付けていても、その判別用ランプ１２４が、設定情報２８１が示されている場合、その判別用ランプ１２４を消灯する。
【００５８】
第２発光制御部３０２は、選択ボタン１２６を、その選択ボタン１２６に対応する入力端子１０２が選択入力端子である場合に点灯し、その入力端子１０２が選択入力端子でない場合に消灯する。図４に示すように、選択ボタン１２６は、ＬＥＤ１２６ｘ−２およびＬＥＤ１２６ｘ−４を有する。ｘは、その選択ボタン１２６の参照符号の末尾の値である。例えば、選択ボタン１２６−１の参照符号の末尾の値は１であるため、選択ボタン１２６−１は、ＬＥＤ１２６１−２およびＬＥＤ１２６１−４を有する。ＬＥＤ１２６ｘ−２およびＬＥＤ１２６ｘ−４は、互いに異なる色の光を発する光源である。ＬＥＤ１２６ｘ−２がオレンジ色で点灯し、ＬＥＤ１２６ｘ−４が白色で点灯する。
【００５９】
例えば、第２発光制御部３０２は、ＳＤＩ端子１０２−１が選択入力端子である場合、ＬＥＤ１２６１−２を点灯させることにより、選択ボタン１２６−１をオレンジ色で点灯させる。
【００６０】
発光制御部３０４は、点灯指示受付部２６３が点灯指示を受け付けた場合、画像信号を受け付けていない入力端子１０２に対応する判別用ランプ１２４と、選択入力端子でない入力端子１０２に対応する選択ボタン１２６とを、青色、およびオレンジ色のいずれとも異なる白色で点灯する。
【００６１】
例えば、第１発光制御部３０１は、点灯指示を受け付けた場合、画像信号を受け付けている入力端子１０２に対応するＬＥＤ１２４ｘ−１の点灯を維持するとともにＬＥＤ１２４ｘ−３の消灯を維持する。一方、第１発光制御部３０１は、画像信号を受け付けていない入力端子１０２に対応するＬＥＤ１２４ｘ−１の消灯を維持するとともにＬＥＤ１２４ｘ−３を点灯する。同様に、第２発光制御部３０２は、点灯指示を受け付けた場合、選択入力端子に対応するＬＥＤ１２６ｘ−２の点灯を維持するとともにＬＥＤ１２６ｘ−４の消灯を維持する。一方、第２発光制御部３０２は、選択入力端子でない入力端子１０２に対応するＬＥＤ１２６ｘ−２の消灯を維持するとともにＬＥＤ１２６ｘ−４を点灯する。
【００６２】
例えば、ＳＤＩ端子１０２−１、ＨＤＭＩ端子１０２−２、およびＬＡＮ端子１０２−３が画像信号を受け付けており、ＢＮＣ端子１０２−４が画像信号を受け付けていないとし、ＳＤＩ端子１０２−１が選択入力端子であると前提する。
この前提の元、第１発光制御部３０１は、点灯指示を受け付けた場合、ＬＥＤ１２４１−１、ＬＥＤ１２４２−１およびＬＥＤ１２４３−１の点灯を維持するとともにＬＥＤ１２４１−３、ＬＥＤ１２４２−３およびＬＥＤ１２４３−３の消灯を維持する。これにより、判別用ランプ１２４−１、判別用ランプ１２４−２および判別用ランプ１２４−３は、青色に点灯する。また、第１発光制御部３０１は、ＬＥＤ１２４４−１の消灯を維持するとともにＬＥＤ１２４４−３を点灯する。これにより、判別用ランプ１２４−４は、白色に点灯する。
同様に、第２発光制御部３０２は、点灯指示を受け付けた場合、ＬＥＤ１２６１−２の点灯を維持し、ＬＥＤ１２６１−４の消灯を維持する。これにより、選択ボタン１２６−１は、オレンジ色に点灯する。また、第２発光制御部３０２は、ＬＥＤ１２６２−２、ＬＥＤ１２６３−２、ＬＥＤ１２６４−２の消灯を維持するとともに、ＬＥＤ１２６２−４、ＬＥＤ１２６３−４、ＬＥＤ１２６４−４を点灯する。これにより、選択ボタン１２６−２、選択ボタン１２６−３および選択ボタン１２６−４は、白色に点灯する。
なお、点灯指示を受け付けた場合、判別用ランプ１２４−５ならびに判別用ランプ１２４−６、および選択ボタン１２６−５ならびに選択ボタン１２６−６は、白色に点灯してもよいし、消灯してもよい。
【００６３】
第２生成部３０３は、入力端子１０２が画像信号を受け付けている場合、画像信号に関する情報を示す画像を示す画像情報（以下「第１画像情報」と称する）を生成する。画像信号に関する情報は、例えば、画像信号の解像度と画像信号の周波数との少なくともいずれかである。画像信号に関する情報を示す画像は、例えば、画像信号の解像度と画像信号の周波数等といった数値を示す画像である。具体的には、第２生成部３０３は、画像処理部２５から、画像信号に関する情報を取得する。次に、第２生成部３０３は、取得した情報から、第１画像情報を生成する。第２生成部３０３は、生成した第１画像情報をステータスモニター１２７に出力する。ステータスモニター１２７は、第１画像情報が示す画像を表示する。
【００６４】
投射部３２は、第１処理部２６の制御に従って、画像処理部２５が生成した画像情報が示す投射画像を、投射面ＳＣに投射する。投射部３２の構成について、図６を用いて説明する。
【００６５】
図６は、投射部３２の一例を示した図である。投射部３２は、光源３２１と、光変調装置の一例である３つの液晶ライトバルブ３２２（３２２Ｒ，３２２Ｇ，３２２Ｂ）と、投射光学系の一例である投射レンズ３２３と、ライトバルブ駆動部３２４等を含む。投射部３２は、光源３２１から射出された光を液晶ライトバルブ３２２で変調して投射画像（画像光）を形成し、投射画像を投射レンズ３２３から拡大投射する。投射画像は、投射面ＳＣに表示される。
【００６６】
光源３２１は、キセノンランプ、超高圧水銀ランプ、ＬＥＤ、またはレーザー光源等から形成される光源部３２１ａと、光源部３２１ａが放射した光の方向のばらつきを低減するリフレクター３２１ｂとを含む。光源３２１から射出された光は、不図示のインテグレーター光学系によって輝度分布のばらつきが低減され、その後、不図示の色分離光学系によって光の３原色である赤色（Ｒ）、緑色（Ｇ）、青色（Ｂ）の色光成分に分離される。Ｒ，Ｇ，Ｂの色光成分は、それぞれ液晶ライトバルブ３２２Ｒ，３２２Ｇ，３２２Ｂに入射する。
【００６７】
液晶ライトバルブ３２２は、一対の透明基板間に液晶が封入された液晶パネルとされる。液晶ライトバルブ３２２には、マトリクス状に配列された複数の画素３２２ｐからなる矩形の画素領域３２２ａが形成されている。液晶ライトバルブ３２２では、液晶に対して画素３２２ｐごとに駆動電圧を印加することが可能である。ライトバルブ駆動部３２４が、画像処理部２５から入力される画像情報に応じた駆動電圧を各画素３２２ｐに印加すると、各画素３２２ｐは、画像情報に応じた光透過率に設定される。このため、光源３２１から射出された光は、画素領域３２２ａを透過することで変調され、画像情報に応じた投射画像が色光ごとに形成される。
【００６８】
図７および図８は、プロジェクター１００の動作を説明するためのフローチャートである。
【００６９】
判別部２６１は、前回判別処理を行った時刻から、周期情報２８２が示す周期が経過したかを判断する（ステップＳ１）。周期情報２８２が示す周期が経過していない場合（ステップＳ１：Ｎｏ）、判別部２６１は、再びステップＳ１の処理を実行する。周期情報２８２が示す周期が経過した場合（ステップＳ１：Ｙｅｓ）、変数ｉ＝１として（ステップＳ２）、プロジェクター１００は、ステップＳ３からステップＳ１１まで、およびステップＳ２１からステップＳ２８までの処理を、入力端子１０２の数分繰り返す。
【００７０】
判別部２６１は、入力端子１０２−ｉが画像信号を受け付けているか否かを判別する（ステップＳ４）。ｉは１から６までの自然数である。入力端子１０２−ｉが画像信号を受け付けていると判別した場合（ステップＳ４：Ｙｅｓ）、第２生成部３０３は、入力されている画像信号に関する画像情報（第１画像情報）を生成する（ステップＳ５）。そして、第２生成部３０３は、生成した画像情報が示す画像をステータスモニター１２７に表示させる（ステップＳ６）。
【００７１】
次に、第１発光制御部３０１は、入力端子１０２−ｉが設定情報２８１に示されているか否かを判断する（ステップＳ７）。なお、設定情報２８１に示されている入力端子１０２−ｉに対応する判別用ランプ１２４−ｉは、入力端子１０２−ｉが画像信号を受け付けているか否かを示すことを停止する。入力端子１０２−ｉが設定情報２８１に示されていない場合（ステップＳ７：Ｎｏ）、第１発光制御部３０１は、判別用ランプ１２４−ｉを青色で点灯する（ステップＳ８）。
【００７２】
入力端子１０２−ｉが画像信号を受け付けていないと判別した場合（ステップＳ４：Ｎｏ）、または、入力端子１０２−ｉが設定情報２８１に示されている場合（ステップＳ７：Ｙｅｓ）、第１発光制御部３０１は、Ｌｉｇｈｔボタン１２９が押下されたか否かを判断する（ステップＳ９）。Ｌｉｇｈｔボタン１２９が押下された場合（ステップＳ９：Ｙｅｓ）、第１発光制御部３０１は、判別用ランプ１２４−ｉを白色で点灯する（ステップＳ１０）。
【００７３】
一方、Ｌｉｇｈｔボタン１２９が押下されていない場合（ステップＳ９：Ｎｏ）、第１発光制御部３０１は、判別用ランプ１２４−ｉを消灯する（ステップＳ１１）。
【００７４】
ステップＳ８の処理、ステップＳ１０の処理、またはステップＳ１１の処理を実行後、表示制御部２６２および第２発光制御部３０２は、入力端子１０２−ｉが選択入力端子か否かを判断する（ステップＳ２１）。具体的な判断方法として、例えば、選択ボタン１２６が押下された場合、第１処理部２６は、押下された選択ボタン１２６を示す情報を、記憶部２８に記憶する。表示制御部２６２および第２発光制御部３０２は、記憶部２８に記憶された前述の情報（押下された選択ボタン１２６を示す情報）を参照して、入力端子１０２−ｉが選択入力端子か否かを判断する。
【００７５】
入力端子１０２−ｉが選択入力端子である場合（ステップＳ２１：Ｙｅｓ）、表示制御部２６２は、画像処理部２５および投射部３２を制御して、入力されている画像信号に応じた投射画像を投射面ＳＣに投射させる（ステップＳ２２）。第２発光制御部３０２は、選択ボタン１２６−ｉをオレンジ色で点灯する（ステップＳ２３）。
【００７６】
一方、入力端子１０２−ｉが選択入力端子でない場合（ステップＳ２１：Ｎｏ）、第２発光制御部３０２は、Ｌｉｇｈｔボタン１２９が押下されたか否かを判断する（ステップＳ２４）。Ｌｉｇｈｔボタン１２９が押下された場合（ステップＳ２４：Ｙｅｓ）、第２発光制御部３０２は、選択ボタン１２６−ｉを白色で点灯する（ステップＳ２５）。一方、Ｌｉｇｈｔボタン１２９が押下されていない場合（ステップＳ２４：Ｎｏ）、第２発光制御部３０２は、選択ボタン１２６−ｉを消灯する（ステップＳ２６）。
【００７７】
ステップＳ２３の処理、ステップＳ２５の処理、またはステップＳ２６の処理を実行後、変数ｉ＝ｉ＋１として（ステップＳ２７）、ステップＳ３からステップＳ１１まで、およびステップＳ２１からステップＳ２８までの処理を繰り返す。
【００７８】
入力端子１０２の数分、ステップＳ３からステップＳ１１まで、およびステップＳ２１からステップＳ２８までの処理を繰り返した後、判別部２６１は、再びステップＳ１の処理を実行する。
【００７９】
本実施形態に応じたプロジェクター１００およびプロジェクター１００の制御方法では、第１表示部１２３が、入力端子１０２ごとに画像信号を受け付けているか否かを示し、第２表示部１２５が、複数の入力端子１０２の中から選択入力端子を示す。これにより、第１表示部１２３が、複数の入力端子１０２のいずれが画像信号を受け付けているかを示し、第２表示部１２５が、選択入力端子を示す。このため、投射面ＳＣに表示されている投射画像が、画像信号を受け付けている入力端子１０２の中で、どの入力端子１０２が受け付けている画像信号に基づく画像なのかを、ユーザーに知らせることが可能になる。
また、複数の入力端子１０２のいずれが画像信号を受け付けているかを示すことにより、例えば、選択入力端子が受け付けている画像に障害があった場合に、ユーザーは、他の入力端子１０２に選択入力端子を切り替えることを検討する。選択入力端子を切り替える前に、ユーザーは、第１表示部１２３を閲覧して、複数の入力端子１０２のいずれが画像信号を受け付けているかを把握することが可能になる。
また、ユーザーは、選択入力端子か否かと、画像信号を受け付けているか否かとを区別して視認できる。従って、複数の入力端子１０２に対して、同時かつ独立して別々の画像信号を受け付けても、ユーザーは、選択入力端子か否かと、画像信号を受け付けているか否かとを迷わず判別できる。
【００８０】
本実施形態では、第１表示部１２３が、入力端子１０２ごとに、その入力端子が画像信号を受け付けているか否かを示す判別用ランプ１２４を有し、第２表示部１２５が、入力端子１０２ごとに、その入力端子が選択入力端子であるか否かを示す選択ボタン１２６を有する。これにより、ユーザーは、判別用ランプ１２４および選択ボタン１２６を閲覧して、画像信号を受け付けているかと、選択入力端子であるかを、把握することが可能になる。
【００８１】
本実施形態では、第１発光制御部３０１は、判別用ランプ１２４を、その判別用ランプ１２４に対応する入力端子１０２が画像信号を受け付けている場合に点灯し、前述の入力端子１０２が画像信号を受け付けていない場合に消灯する。ところで、点灯または消灯に応じて、肯定的な態様または否定的な態様を示す場合に、点灯することが肯定的な態様を示すことが一般的な情報の示し方である。そして、画像信号を受け付けているか否かであれば、画像信号を受け付けていることが肯定的な態様となる。一般的な情報の示し方に従って、画像信号を受け付けている入力端子１０２に対応する判別用ランプ１２４が点灯するため、ユーザーは、複数の入力端子１０２のうち、画像信号を受け付けている入力端子がいずれであるかを、容易に把握することができる。
【００８２】
本実施形態では、第２発光制御部３０２は、選択ボタン１２６を、その選択ボタン１２６に対応する入力端子１０２が選択入力端子である場合に点灯し、前述の入力端子１０２が選択入力端子でない場合に消灯する。ここで、入力端子１０２が選択入力端子であるか否かであれば、入力端子１０２が選択入力端子であることが肯定的な態様となる。一般的な情報の示し方に従って、選択入力端子に対応する選択ボタン１２６が点灯するため、ユーザーは、選択入力端子を、容易に把握することができる。
【００８３】
本実施形態では、Ｌｉｇｈｔボタン１２９が押下された場合、少なくとも、画像信号を受け付けていない入力端子１０２に対応する判別用ランプ１２４、および選択入力端子でない入力端子１０２に対応する選択ボタン１２６を白色で点灯する。ところで、プロジェクター１００から投射される画像を明瞭にするために、暗所内でプロジェクター１００を動作させることがある。この場合、暗所のため、判別用ランプ１２４および選択ボタン１２６が視認しにくくなる。そこで、判別用ランプ１２４および選択ボタン１２６を白色で点灯することにより、ユーザーが、判別用ランプ１２４および選択ボタン１２６を視認し易くなる。
さらに、白色で点灯することにより、ユーザーは、白光で点灯する判別用ランプ１２４に対応する入力端子１０２は画像信号を受け付けていないことを把握し、白光で点灯する選択ボタン１２６に対応する入力端子１０２は選択入力端子でないことを把握することが可能になる。
【００８４】
本実施形態では、Ｌｉｇｈｔボタン１２９が押下された場合、画像信号を受け付けている入力端子１０２−ｘに対応するＬＥＤ１２４ｘ−１の点灯を維持するとともにＬＥＤ１２４ｘ−３の消灯を維持し、画像信号を受け付けていない入力端子１０２−ｙに対応するＬＥＤ１２４ｙ−１の消灯を維持するとともにＬＥＤ１２４ｙ−３を点灯する。同様に、Ｌｉｇｈｔボタン１２９が押下された場合、選択入力端子に対応するＬＥＤ１２６ｗ−２の点灯を維持するとともにＬＥＤ１２６ｗ−４の消灯を維持し、選択入力端子でない入力端子１０２−ｚに対応するＬＥＤ１２６ｚ−２の消灯を維持するとともにＬＥＤ１２６ｚ−４を点灯する。プロジェクター１００が暗所内にあっても、ＬＥＤ１２４ｘ−１が点灯する判別用ランプ１２４−ｘは、ＬＥＤ１２４ｘ−３を消灯しても視認することができるため、ＬＥＤ１２４ｘ−３を消灯して消費電力を削減することができる。同様に、ＬＥＤ１２６ｗ−２が点灯する選択ボタン１２６−ｗは、ＬＥＤ１２６ｗ−４を消灯しても視認することができるため、ＬＥＤ１２６ｗ−４を消灯して消費電力を削減することができる。
さらに、画像信号を受け付けている入力端子１０２に対応する判別用ランプ１２４−ｘは、ＬＥＤ１２４ｘ−１を点灯しているため、ＬＥＤ１２４ｘ−３も点灯すると、ＬＥＤ１２４ｘ−１の光およびＬＥＤ１２４ｘ−３の光が混色する。混色した光を見たユーザーは、画像信号を受け付けていることとは別の意味であると誤解する虞がある。従って、ＬＥＤ１２４ｘ−３を消灯することにより、前述した誤解を生じにくくすることができる。同様に、選択入力端子に対応する選択ボタン１２６−ｗは、ＬＥＤ１２６ｗ−２を点灯しているため、ＬＥＤ１２６ｗ−４も点灯すると、ＬＥＤ１２６ｗ−２の光およびＬＥＤ１２６ｗ−４の光が混色する。混色した光を見たユーザーは、選択入力端子であるとは別の意味であると誤解する虞がある。従って、ＬＥＤ１２６ｗ−４を消灯することにより、前述した誤解を生じにくくすることができる。
【００８５】
本実施形態では、選択ボタン１２６は、判別用ランプ１２４と隣り合うように配置される。選択ボタン１２６と判別用ランプ１２４とが隣り合うため、入力端子１０２に対して、画像信号を受け付けているか否かと、選択入力端子であるか否かとを、ユーザーが一目で把握することが可能になる。
【００８６】
本実施形態では、画像信号を受け付けているか否かを示すことを停止する判別用ランプ１２４を示す設定情報２８１を受け付け、設定情報２８１が示す判別用ランプ１２４は、対応する入力端子１０２に入力されているか否かを示すことを停止する。これにより、プロジェクター１００の使用環境に応じて、ユーザーが所望する判別用ランプ１２４だけを点灯することができる。例えば、ある入力端子１０２には、画像信号が常に入力されており、わざわざ判別用ランプ１２４を点灯する必要がない場合がある。この場合、設定情報２８１に、ある入力端子１０２を登録することにより、ある入力端子１０２に対応する判別用ランプ１２４を点灯させないようにすることが可能になる。判別用ランプ１２４を点灯させないようにした結果、ユーザーに余計な情報を提示しないようにでき、また、消費電力を抑制することが可能になる。
【００８７】
本実施形態は、周期情報２８２が示す周期に従って、入力端子１０２ごとに画像信号を受け付けているか否かを判別する。これにより、ユーザーが指定した周期に従って入力端子１０２が画像信号を受け付けているか否かを判別するため、画像信号や表示装置の状態に応じて適切な頻度で判別することが可能になる。
【００８８】
本実施形態は、画像信号に応じた画像に関する複数の情報のうちの一部を入力端子１０２が受け付けた場合に、その入力端子１０２が画像信号を受け付けていると判別する。このように、複数の情報の全てが含まれるかを判別することなく、一部の情報だけで判別するため、短時間で判別できるとともに、判別にかかる負荷を抑えることが可能になる。
【００８９】
本実施形態は、画像信号を受け付けているか否かを示す画像を、投射面ＳＣに投射する。ユーザーが、第１表示部１２３を視認しにくい場合にも、投射面ＳＣに投射された画像を閲覧して、入力端子１０２に画像信号を受け付けているか否かを判別できる。ユーザーが第１表示部１２３を視認しにくい場合として、例えば、プレゼンテーションの最中またはイベントの最中において、ユーザーは、投射面ＳＣの付近に位置してプロジェクター１００からは離れており、リモコンを用いてプロジェクター１００を操作する場合である。
【００９０】
本実施形態は、画像信号に関する情報を示す画像をステータスモニター１２７に表示する。これにより、ユーザーは、第１表示部１２３からは知ることのできない、解像度、周波数等といった、画像に関する情報を知ることが可能になる。
【００９１】
＜変形例＞
以上の各形態は多様に変形され得る。具体的な変形の態様を以下に例示する。以下の例示から任意に選択された２以上の態様は、相互に矛盾しない範囲内で適宜に併合され得る。なお、以下に例示する変形例において作用や機能が実施形態と同等である要素については、以上の説明で参照した符号を流用して各々の詳細な説明を適宜に省略する。
【００９２】
＜第１の変形例＞
本実施形態では、スロット１０５にインターフェースボードは挿し込まれていなかったが、第１の変形例では、スロット１０５にインターフェースボードが差し込まれている場合の例を示す。
【００９３】
図９は、第１の変形例におけるインターフェースパネル１０の平面図である。第１の変形例におけるインターフェースパネル１０のスロット１０５−１には、インターフェースボード６０が差し込まれている。インターフェースボード６０は、ＤＶＩ（Digital Visual Interface）端子１０２−５およびＨＤＭＩ端子１０２−６を有する。ＤＶＩ端子１０２−５およびＨＤＭＩ端子１０２−６は、複数の入力端子１０２に含まれる。
【００９４】
図１０は、インターフェースボード６０を含む回路基板７０の斜視図である。図１０では、回路基板７０、回路基板８０、および、インターフェースボード６０を描画する。回路基板７０には、第１処理部２６、第２処理部３０等が実装される。回路基板７０およびインターフェースボード６０は、回路基板８０を介して電気的に接続される。
【００９５】
第１の変形例におけるプロジェクター１００およびプロジェクター１００の制御方法では、第１表示部１２３は、スロット１０５に挿し込まれたインターフェースボードが有する入力端子１０２に対しても、画像信号を受け付けているか否かを示す。以上により、インターフェースボード６０が有する入力端子１０２を含めて、画像信号を受け付けているか否かと、選択入力端子であるか否かとを、ユーザーが容易に把握することが可能になる。プロジェクター１００のように、機能拡張用のスロット１０５を有する場合であっても、インターフェースボードの種類によらずに、どのような入力端子１０２を有するインターフェースボードであっても、ユーザーは、画像信号を受け付けているか否かを把握することができる。
【００９６】
第１の変形例において、第１表示部１２３が、インターフェースボード６０が有する入力端子１０２に対して画像信号を受け付けているか否かを示す方法について説明する。インターフェースボード６０は、２つの入力端子１０２を有するのに対し、スロット１０５−１に対応する判別用ランプ１２４は、判別用ランプ１２４−５の１つしかなく、選択ボタン１２６も選択ボタン１２６−５の１つしかない。そこで、記憶部２８は、インターフェースボード６０が有する２つの入力端子１０２のうち、判別用ランプ１２４−５および選択ボタン１２６−５に対応する入力端子１０２がいずれであるかを設定するインターフェースボード設定情報を記憶する。インターフェースボード設定情報は、例えば、ユーザーによる操作ボタン１２８の操作等によって生成され、記憶部２８に格納される。スロット１０５−１に対応する判別用ランプ１２４−５は、インターフェースボード設定情報が示す入力端子１０２が画像信号を受け付けているか否かを示す。同様に、スロット１０５−１に対応する選択ボタン１２６−５は、インターフェースボード設定情報が示す入力端子１０２が選択入力端子か否かを示す。
【００９７】
＜第２の変形例＞
上述した各形態では、プロジェクター１００は、入力端子１０２に対して、対応する判別用ランプ１２４および選択ボタン１２６が予め設定されていたが、ユーザーの操作によって自由に変更できてもよい。例えば、プロジェクター１００が、複数のＨＤＭＩ端子を有する状況において、記憶部２８は、複数のＨＤＭＩ端子のうち、１つの判別用ランプ１２４−ｘおよび１つの選択ボタン１２６−ｘに対応するＨＤＭＩ端子がいずれであるかを設定する設定情報を記憶する。この設定情報は、例えば、ユーザーによる操作ボタン１２８の操作等によって生成され、記憶部２８に格納される。判別用ランプ１２４−ｘは、この設定情報が示すＨＤＭＩ端子が画像信号を受け付けているか否かを示す。同様に、選択ボタン１２６−ｘは、この設定情報が示すＨＤＭＩ端子が選択入力端子か否かを示す。このように、ユーザーが所望する入力端子１０２に対して、画像信号を受け付けているか否かと、選択入力端子であるか否かとを示すことにより、プロジェクター１００のユーザービリティを向上させることができる。
【００９８】
＜第３の変形例＞
上述した各形態では、第１表示部１２３は、点灯および消灯によって、画像信号を受け付けているか否かを示したが、これに限らない。例えば、第１表示部１２３がＬＣＤである場合、第１表示部１２３であるＬＣＤが、入力端子１０２ごとに入力端子１０２が画像信号を受け付けているか否かを示す文字列を示す画像を表示してもよい。同様に、第２表示部１２５は、点灯および消灯によって、選択入力端子を示したが、例えば、第２表示部１２５がＬＣＤであり、第２表示部であるＬＣＤが、選択入力端子となる入力端子１０２を示す文字列を示す画像を表示してもよい。
【００９９】
＜第４の変形例＞
上述した各形態では、判別用ランプ１２４は、点灯によって画像信号を受け付けていることを示し、消灯によって画像信号を受け付けていないことを示したが、これに限らない。例えば、判別用ランプ１２４は、点灯によって画像信号を受け付けていないことを示し、消灯によって画像信号を受け付けていることを示してもよい。
【０１００】
＜第５の変形例＞
上述した各形態において、発光制御部３０４は、点灯指示受付部２６３が点灯指示を受け付けた場合、画像信号を受け付けていない入力端子１０２に対応する判別用ランプ１２４と、選択入力端子でない入力端子１０２に対応する選択ボタン１２６との少なくともいずれかを、青色、およびオレンジ色のいずれとも異なる白色で点灯してもよい。例えば、発光制御部３０４は、点灯指示が受け付けられても、ある判別用ランプ１２４−ｘが青色で点灯している場合、選択ボタン１２６−ｘについては消灯を維持してもよい。消灯を維持してもよい理由としては、ユーザーは、選択ボタン１２６−ｘを点灯せずとも選択ボタン１２６−ｘの位置を特定できるためである。より具体的には、選択ボタン１２６−ｘのＹＺ平面上の位置は、オレンジ色で点灯している選択ボタン１２６のＹ方向の位置と、青色で点灯している判別用ランプ１２４−ｘのＺ方向の位置とで示されるため、選択ボタン１２６−ｘを点灯せずとも選択ボタン１２６−ｘの位置を特定できるためである。
【０１０１】
＜第６の変形例＞
上述した各形態において、操作パネル１２は、消灯ボタンを有してもよい。消灯ボタンは、消灯ボタンが押下されることにより、画像信号を受け付けている入力端子１０２に対応する判別用ランプ１２４および選択入力端子に対応する選択ボタン１２６を消灯する。
【０１０２】
第６の変形例において、第１処理部２６は、記憶部２８に記憶された制御プログラムを読み取り実行することによって、図４で示した各部に加えて、消灯指示受付部を有する。消灯指示受付部は、判別用ランプ１２４および選択ボタン１２６を消灯させる消灯指示を受け付ける。例えば、ユーザーが消灯ボタンを押下した場合、消灯指示受付部は、消灯ボタンが押下されたことを、前述の消灯指示として受け付ける。
第１発光制御部３０１は、消灯指示受付部が消灯指示を受け付けた場合、画像信号を受け付けている入力端子１０２に対応する判別用ランプ１２４を消灯する。同様に、第２発光制御部３０２は、消灯指示受付部が消灯指示を受け付けた場合、選択入力端子に対応する選択ボタン１２６を消灯する。これにより、プロジェクター１００が設置された箇所を暗くしたい場合に、ユーザーは消灯ボタンを押下することにより、画像信号を受け付けている入力端子１０２に対応する判別用ランプ１２４および選択入力端子に対応する選択ボタン１２６を消灯できる。よって、プロジェクター１００が設置された箇所を暗くすることが可能になる。
【０１０３】
＜第７の変形例＞
上述した各形態では、判別用ランプ１２４および選択ボタン１２６には、光源としてＬＥＤを有したが、ＬＥＤに限らず、キセノンランプ等を有してもよい。
【０１０４】
＜第８の変形例＞
上述した各形態では、第１色が青色であり、第２色がオレンジ色であったが、これに限らない。第１色と第２色とが同色でもよい。
【０１０５】
＜第９の変形例＞
上述した各形態では、所定の色が白色であったが、白色に限らない。さらに、判別用ランプ１２４における所定の色は、第１色と異なる色であればよく、例えば第２色でもよい。同様に、選択ボタン１２６における所定の色は、第２色と異なる色であればよく、例えば第１色でもよい。
【０１０６】
＜第１０の変形例＞
上述した各形態では、所定の色が白色であり、１つのＬＥＤが白色で点灯したが、複数のＬＥＤの点灯により白色の光が生成されてもよい。例えば、判別用ランプ１２４は、青色のＬＥＤ、緑色のＬＥＤ、および赤色のＬＥＤという３つのＬＥＤを有し、その３つのＬＥＤの全てが点灯することにより、判別用ランプ１２４を白色で点灯してもよい。判別用ランプ１２４が前述の３つのＬＥＤを有する場合、判別用ランプ１２４を青色で点灯する場合には、前述の３つのＬＥＤのうちの青色のＬＥＤを点灯すればよい。選択ボタン１２６も判別用ランプ１２４と同様である。
【０１０７】
＜第１１の変形例＞
上述した各形態では、選択ボタン１２６が、判別用ランプ１２４から見て、Ｙ軸正方向の位置に隣り合うように配置されたが、これに限らない。例えば、選択ボタン１２６が、判別用ランプ１２４から見て、Ｙ軸負方向の位置に隣り合うように配置されてもよいし、Ｚ軸正方向の位置に隣り合うように配置されてもよいし、Ｚ軸負方向の位置に隣り合うように配置されてもよい。
【０１０８】
＜第１２の変形例＞
上述した各形態では、周期情報２８２が示す周期で、入力端子１０２ごとに画像信号を受け付けているか否かを判別したが、これに限らない。例えば、判別部２６１は、入力端子１０２の信号が変化したことを示す割り込み信号を受け付けた際に、画像信号を受け付けているか否かを判別してもよい。例えば、第１処理部２６を構成するプロセッサーは、前述の割り込み信号を受け付けた際に、ＩＳＲ（Interrupt Service Routine）として、判別部２６１の処理を実行する。
【０１０９】
＜第１３の変形例＞
上述した各形態において、上述したように、判別部２６１は、上述した第１の方法または第２の方法を実行することが可能だが、操作ボタン１２８の操作によって、第１の方法を実行するか、第２の方法を実行するかをユーザーが選択できるようにしてもよい。
【０１１０】
＜第１４の変形例＞
上述した各形態において、表示すべき内容が多く、図５で示した画像Ｐに入りきらない場合に、画像Ｐは、次へを示すボタンを有し、次へを示すボタンが操作された場合、画像Ｐに入りきらなかった表示すべき内容を示す画像が、画像Ｐの代わりに表示されてもよい。
【０１１１】
＜第１５の変形例＞
上述した各形態における投射部３２では、光変調装置として液晶ライトバルブが用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系や色合成光学系に相当する部材は不要である。また、液晶パネルおよびＤＭＤ以外にも、光源が発した光を変調可能な構成は、光変調装置として採用できる。
【０１１２】
＜第１６の変形例＞
第１処理部２６および第２処理部３０がプログラムを実行することによって実現される要素の全部または一部は、例えばＦＰＧＡ（Field Programmable Gate Array）またはＡＳＩＣ（Application Specific IC）等の電子回路によりハードウェアで実現されてもよいし、ソフトウェアとハードウェアとの協働により実現されてもよい。
【０１１３】
＜第１７の変形例＞
上述した各形態では、表示装置がプロジェクターであったが、これに限らない。例えば、上述した各形態は、表示装置がＬＣＤでも適用できる。この場合、画像表示部は、液晶画面である。
【符号の説明】
【０１１４】
１０…インターフェースパネル、１２…操作パネル、１４…投射レンズユニット、２０…信号受信部、２２…指示受付部、２５…画像処理部、２６…第１処理部、２８…記憶部、３０…第２処理部、３２…投射部、５０…選択ボタン、５０…複数の選択ボタン、５２…設定ボタン、６０…インターフェースボード、１００…プロジェクター、１０２…入力端子、１２３…第１表示部、１２４…判別用ランプ、１２５…第２表示部、１２６…選択ボタン、２５１…第１生成部、２６１…判別部、２６２…表示制御部、２６３…点灯指示受付部、２６４…設定情報受付部、２６５…周期情報受付部、３０１…第１発光制御部、３０２…第２発光制御部、３０３…第２生成部、３０４…発光制御部。
【図１】
2019080215.tif 000003
【図２】
2019080215.tif 000004
【図３】
2019080215.tif 000005
【図４】
2019080215.tif 000006
【図５】
2019080215.tif 000007
【図６】
2019080215.tif 000008
【図７】
2019080215.tif 000009
【図８】
2019080215.tif 000010
【図９】
2019080215.tif 000011
【図１０】
2019080215.tif 000012